(57)【要約】【課題】紫外光を発光するライン光源の実際の光量の変動を吸収して、紙葉類の読取り画像の照度の安定を保つ。【解決手段】基準蛍光部材１７を、ライン光源１０からレンズアレイ１１までの光路上であって、受光部１２の読取り領域内、かつ、紙葉類の画像を読取る画像領域Ｗから外れた部位に設置することにより、受光部１２で読み取られた基準蛍光部材１７からの蛍光量を取得する。この基準蛍光部材１７からの蛍光量と、基準データ記憶部に格納された基準データとを基に、紙葉類の画像領域Ｗで読み取った紙葉類の画像を照度補正する。【選択図】図３Ａ
2016005093.tif 000002
【特許請求の範囲】
【請求項１】
紙葉類を読取るための照明光源として用いられるライン光源と、そのライン光源から出射され前記紙葉類を反射又は透過した光を導くためのレンズアレイと、前記レンズアレイにより収束された光を受光し電気信号に変換する受光部と、を備えるイメージセンサユニットであって、
前記ライン光源は少なくとも紫外光を発光する光源であり、
前記ライン光源から前記レンズアレイまでの光路上に配置され、前記受光部の読取り領域内であって、かつ前記紙葉類の画像を読取る画像領域から外れた部位に設けられ、紫外光が照射されたときに蛍光を励起する基準蛍光部材と、
前記ライン光源の基準光量に対応する前記基準蛍光部材からの蛍光量を想定して、それを基準データとして記憶する基準データ記憶部と、
前記受光部で読み取られた前記基準蛍光部材からの蛍光量と、前記基準データ記憶部に格納された基準データとを基に、前記紙葉類の画像を補正するための補正データを生成する補正データ生成部と、
前記補正データを用いて前記紙葉類の画像の補正を行う補正部とを備える、イメージセンサユニット。
【請求項２】
前記画像領域から外れた部位は、前記受光部の読取り領域の両端に存在する、請求項１に記載のイメージセンサユニット。
【請求項３】
前記基準蛍光部材は、白色部材である、請求項１に記載のイメージセンサユニット。
【請求項４】
焦点面から前記受光部までの任意の位置に、可視光、又は可視光から赤外光までを含む波長範囲の光を透過させ、受光部に紫外光が入らないように紫外光を遮断するフィルタが設けられている、請求項１に記載のイメージセンサユニット。
【発明の詳細な説明】
【技術分野】
【０００１】
本発明は、ライン光源から出射され、紙幣や有価証券などの紙葉類を反射又は透過した光を読取るイメージセンサユニットに関するものである。
【背景技術】
【０００２】
イメージセンサユニットは、紙葉類の鑑別などのために、紙葉類の色・模様などの認識をするために用いられる装置である。このイメージセンサユニットは、紙葉類を照明するためのライン光源と、そのライン光源から出射され紙葉類を透過又は反射した光（蛍光を含む）を導くためのレンズアレイと、そのレンズアレイにより導かれた光を受光する受光部とを備えている。
【０００３】
ライン光源から出射される光には、主に紙葉類の表と裏の図柄などを読取るための可視光及び赤外光と、主に紙葉類の真偽を判別するための紫外光とが用いられる。
ライン光源に用いられるＬＥＤ（発光ダイオード）は、温度変化などにより発光波長に変動が生じる。
可視光、赤外光については、特許文献１は、雰囲気温度の変化により発光波長に温度シフトが生じる現象を利用して、光量の変動が生じても、安定した紙葉類の画像を取得することができるイメージセンサユニットを提案している。
【先行技術文献】
【特許文献】
【０００４】
【特許文献１】特開２００７−８１６９６号公報
【発明の概要】
【発明が解決しようとする課題】
【０００５】
しかし、ライン光源が紫外光を発光し、その蛍光を検知して紙葉類の真偽を判別するイメージセンサユニットにおいては、受光部において紫外光をカットする紫外光遮断フィルタを設置しているため、紫外光の光量変動を直接検知することができない。
本発明は、かかる実情に鑑み、紫外光を発光するライン光源の光量を推定して、その光量の変動を補正して、紙葉類の画像の照度の安定を保つことのできるイメージセンサユニットを提供しようとするものである。
【課題を解決するための手段】
【０００６】
本発明のイメージセンサユニットは、紙葉類を読取るための照明光源として用いられるライン光源と、そのライン光源から出射され紙葉類を反射又は透過した光を導くためのレンズアレイと、レンズアレイにより収束された光を受光し電気信号に変換する受光部とを備える。ライン光源は少なくとも紫外光を発光するライン光源である。
本発明のイメージセンサユニットは、ライン光源からレンズアレイまでの光路上に配置され、受光部の読取り領域内であって、紙葉類の画像を読取る画像領域から外れた部位に設けられ、紫外光が照射されたときに蛍光を励起する基準蛍光部材と、ライン光源の基準光量に対応する基準蛍光部材からの蛍光量を基準データとして記憶する基準データ記憶部と、受光部で読み取られた基準蛍光部材からの蛍光量と、基準データ記憶部に格納された基準データとを基に、紙葉類の画像を補正するための補正データを生成する補正データ生成部と、補正データを用いて紙葉類の画像の補正を行う補正部とを備えている。
【０００７】
このイメージセンサユニットによれば、基準蛍光部材をライン光源からレンズアレイまでの光路上であって、受光部の読取り領域内、かつ、紙葉類の画像を読取る画像領域から外れた部位に設置することにより、基準蛍光部材からの蛍光量を受光部で読み取ることができる。紙葉類を反射しない、この基準蛍光部材からの蛍光量は紙葉類を反射した光ではないので、ライン光源の光量をそのまま表す。この基準蛍光部材からの蛍光量と、基準データ記憶部に格納された基準データとを基に、紙葉類の画像領域の蛍光画像を補正することができる。したがって、ライン光源の実際の光量の変動を吸収して、紙葉類の蛍光画像の照度を安定に保つことができる。
【図面の簡単な説明】
【０００８】
【図１】本発明の実施の形態におけるイメージセンサユニットの構成を概略的に示す断面図である。
【図２】イメージセンサユニットの付加的な構成を概略的に示す断面図である。
【図３Ａ】イメージセンサユニットを下斜め方向から見た透視斜視図である。
【図３Ｂ】イメージセンサユニットを上斜め方向から見た斜視図である。
【図４】白基準板からの蛍光を受光部で読み取って、紙葉類の画像の照度補正を行う照度補正システムを示すブロック図である。
【図５】ライン光源の斜視図である。
【図６】ライン光源の各構成部材を示す分解斜視図である。
【図７】ライン光源の側面図である。
【発明を実施するための形態】
【０００９】
以下、本発明の実施の形態について添付図面を参照して説明する。
本発明の範囲は特許請求の範囲によって示され、特許請求の範囲と均等の意味及び範囲内でのすべての変更が含まれることが意図されている。
＜イメージセンサユニット＞
図１は、本発明の実施の形態におけるイメージセンサユニットの構成を示す概略断面図である。
【００１０】
このイメージセンサユニットは、筐体１６と、紙葉類を照明するためのライン光源１０と、そのライン光源１０から焦点面２０に向けて出射され紙葉類を反射した光を導くためのレンズアレイ１１と、基板１３に実装されレンズアレイ１１により導かれた透過光を受光する受光部１２とを備えている。紙葉類は焦点面２０に沿って一方向（エックスｘで示す）に搬送される。
【００１１】
これらの筐体１６、ライン光源１０、受光部１２、レンズアレイ１１は、ｙ方向、すなわち紙面の垂直な方向に延びていて、図１はその断面を示している。
ライン光源１０は、焦点面２０にある紙葉類に向けて光を出射するユニットである。ライン光源１０から焦点面２０に向けて出射される光を”Ｂ１”で示している。出射される光の種類は可視光と紫外光であり、さらに赤外光が出射されることもある。
【００１２】
この紫外光は波長ピークが３００ｎｍ〜４００ｎｍを有するもので、赤外光は波長ピークが１５００ｎｍまで有するものである。
これらの光のうち少なくとも紫外光は、他の光と時間的に重ならないようにして（すなわち時間的にスイッチングされながら）発光される。赤外光は、可視光と時間的に重なって発光されることもあり、時間的に重ならないようにして発光されることもある。
【００１３】
ライン光源１０から出射された光Ｂ１は、保護ガラス１４を透過して焦点面２０に集光される。保護ガラス１４は、使用中のごみの飛散や傷つきからライン光源１０やレンズアレイ１１を保護するために設置される。この保護ガラス１４は、白基準板１７を取り付けるためにも使用される。
本発明において、白基準板１７は、ライン光源１０から発光される紫外光に励起されて、蛍光を発する基準蛍光部材として機能する（後述）。
【００１４】
保護ガラス１４の材質はライン光源１０から出射される光を透過させるものであれば良く、例えばアクリル樹脂やシクロオレフィン系樹脂などといった透明の樹脂であってもよい。ただ、本発明の実施の形態では、白板ガラス、ホウケイ酸ガラスなど特に紫外光を透過させるものを使用するのが好ましい。
ライン光源１０の底面に対向して、ライン光源１０の両端に設置された第２の光源部３、第１の光源部４を固定するための基板５が設置されている。この基板５はフェノール、ガラスエポキシなどで形成された薄い絶縁板であり、その裏面に銅箔からなる配線パターンが形成されている。第２の光源部３、第１の光源部４の端子を基板５の各所に形成された孔に挿入し、基板の裏面において半田などで配線パターンと接合することにより、第２の光源部３及び第１の光源部４を基板５に搭載し固定することができるとともに、所定の駆動電源（図示せず）から基板裏面の配線パターンを通して第２の光源部３及び第１の光源部４に電力を供給してその発光を駆動・制御することができる。
【００１５】
レンズアレイ１１は、紙葉類で反射された光を受光部１２に結像する光学素子であり、セルフォックレンズアレイ（登録商標：日本板硝子製）などのロッドレンズアレイを用いることができる。本発明の実施の形態では、レンズアレイ１１の倍率は１（正立）に設定されている。
焦点面２０から受光部１２までの任意の位置に、受光部１２に紫外光が入らないように、紫外光を反射又は吸収することにより遮断する「フィルタ」としての紫外光遮断フィルタ膜１５を設けることが好ましい。本発明の実施の形態では、レンズアレイ１１の表面に紫外光遮断フィルタ膜１５を取り付け、紫外光を遮断する機能を持たせている。本明細書で「光を遮断する」とは、光を反射又は吸収して、透過させないことをいう。
【００１６】
この紫外光遮断フィルタ膜１５は、特に限定するものではなく、紫外光が、受光部１２へ入るのを防止することができれば、材質・構造を問わない。例えば有機系の紫外光吸収剤を透明フィルムに混入あるいはコーティングした紫外光吸収フィルム、ガラス表面に酸化チタン、酸化珪素など透過率や屈折率の異なる金属酸化物もしくは誘電体の薄膜を多層蒸着することで得られる干渉波フィルタ（バンドパスフィルタ）などが好ましい。
【００１７】
なお、紫外光遮断フィルタ膜１５はレンズアレイ１１の出射面に取り付けていたが、白基準板１７から受光部１２までの任意の位置に取り付けてもよい。例えばレンズアレイ１１の入射面又は中間部に取り付けてもよい。要するに、紙葉類で反射された紫外光や白基準板１７で反射された紫外光が、受光部１２へ入るのを防止することができればよい。
受光部１２は基板１３に実装され、反射光を受けて光電変換により電気出力として画像を読取る受光素子を含んで構成されている。受光素子の材質・構造は特に規定されるものではなく、アモルファスシリコン、結晶シリコン、ＣｄＳ、ＣｄＳｅなどを用いたフォトダイオードやフォトトランジスタを配置したものであってもよい。またＣＣＤ（Charge Coupled Device）リニアイメージセンサであってもよい。さらに受光部１２として、フォトダイオードやフォトトランジスタ、駆動回路及び増幅回路を一体としたＩＣ（Integrated Circuit）を複数個並べた、いわゆるマルチチップ方式のリニアイメージセンサを用いることもできる。また、必要に応じて基板１３上に駆動回路、増幅回路などの電気回路、あるいは信号を外部に取り出すためのコネクタなどを実装することもできる。さらに基板１３上にマイクロコンピュータ、記憶素子、Ａ／Ｄコンバータ、各種補正回路、画像処理回路、ラインメモリ、Ｉ／Ｏ制御回路などを同時に実装してデジタル信号として外部に取り出すこともできる。
【００１８】
本発明では、ライン光源１０から発光される紫外光が当たることによって白基準板１７から励起される蛍光を検知し、それによってライン光源１０から発光される紫外光の光量を推定し、この推定された光量に基づいて、紙葉類の画像の照度補正を行うための照度補正システムが必須である。この補正システムにおける補正処理の内容については後述する。
【００１９】
なお、前述したイメージセンサユニットは、ライン光源１０から紙葉類に向けて出射され紙葉類を反射した光を受光する反射型のイメージセンサユニットであったが、図２の下半分に示すように、ライン光源１０Ａを、焦点面２０を基準にして、受光部１２と反対の位置に置いて、ライン光源１０Ａから紙葉類に向けて光を出射する透過型のユニットが付加されていてもよい。この場合、ライン光源１０Ａの位置が焦点面２０の下側になるところが図１の配置と異なるのみで、受光部１２、レンズアレイ１１の構造は、今まで説明したものと異なるところはない。
【００２０】
＜白基準板＞
白基準板１７は、ライン光源１０から発光される紫外光に励起されて蛍光を発する基準蛍光部材として機能するものである。
図３Ａ、図３Ｂは、白基準板１７の取り付け位置を示すためのイメージセンサユニットの斜視図である。図３Ａは、イメージセンサユニットを下斜め方向から見た斜視図であり、筐体１６を透視し、受光部１２、レンズアレイ１１、保護ガラス１４を描いている。図３Ｂは、イメージセンサユニットを上斜め方向から見た斜視図である。
【００２１】
紙葉類の画像を読取るためのｙ方向に沿った線状の画像領域を、図３Ａに”Ｗ”で示す。
白基準板１７は、受光部１２の読取り領域（受光素子が光を読取ることが可能なｙ方向に沿った線状の領域をいう）の内であって、かつ、画像領域Ｗから外れた部位に設けられている。例えば白基準板１７は、図３Ａに示すように、画像領域Ｗから外れた、レンズアレイ１１の両端部の直上の位置に設けられている。レンズアレイ１１は前述したように倍率が１、正立のレンズであるので、このレンズアレイ１１の両端部は、光学的に、受光部１２の読取り領域の両端部に相当する。
【００２２】
白基準板１７を設置する位置は限定されないが、図１に示すように、保護ガラス１４の内面に配置されていることが好ましい。ライン光源１０から出射され、白基準板１７に当たる光を”Ｂ２”で示す。
白基準板１７は、保護ガラス１４の外面に配置することもできるが、この場合は、搬送される紙葉類と接触するおそれがあるために、白基準板１７を保護ガラス面に埋め込むなどの処置が必要である。
【００２３】
また、白基準板１７は、図２に示すような透過型のユニットが付加されているときは、透過型のユニットの保護ガラス１４の内面（”１７Ａ”で示す）に配置するようにしてもよい。この場合、ライン光源１０から出射され、白基準板１７Ａに当たる光を”Ｂ３”で示す。
白基準板１７の保護ガラス面への取り付け方法は限定されないが、例えばテープ状のものを貼り付けても良く、保護ガラス面に印刷しても良く、ペースト状のものを塗布してもよい。白基準板１７の形状も限定されない。図示したような四角の形状であっても良く、他の任意の形状であってもよい。
【００２４】
白基準板１７は、紫外光を吸収して別の波長の蛍光を放出する性質を持つ蛍光材料を含んでいる。蛍光材料は無機蛍光染料または有機蛍光染料のようなもので良く、例えば、染料の一種である蛍光増白剤を使用してもよい。
＜照度補正システム＞
図４は、受光部１２で読み取られた白基準板１７からの蛍光量のデータに基づいて補正データを算出して、紙葉類の画像の補正を行う照度補正システム２１を示すブロック図である。
【００２５】
照度補正システム２１は、マイクロコンピュータ及びその周辺の記憶素子並びにマイクロコンピュータを駆動するためのソフトウェアなどで構成されている。
照度補正システム２１は、画像領域Ｗにおける紙葉類の蛍光画像の適正な照度を実現するために必要な、ライン光源１０の適正な光量を把握している。
基準データ記憶部２２は、ライン光源１０の光量が適正である場合に白基準板１７から励起され、受光部１２の端部にある受光素子で読み取られる蛍光量Ｓ０を想定して、該蛍光量Ｓ０を基準データとして記憶している。
【００２６】
補正データ生成部２３は、白基準板１７から実際に励起され、受光部１２の端部にある受光素子でリアルタイムで読み取られる蛍光量Ｓ１に基づいて、受光部１２の中央部にある受光素子で読み取った紙葉類の画像を照度補正するための補正データを生成する。該補正データの関数形は限定されないが、例えば、蛍光量Ｓ１と蛍光量Ｓ０との比の逆数（Ｓ０／Ｓ１）であってもよい。
【００２７】
照度補正部２４は、補正データを用いて紙葉類の画像の補正を行う。具体的には、受光部１２の中央部にある受光素子で読み取った紙葉類の蛍光画像に、上に述べた補正データ（Ｓ０／Ｓ１）を乗算する。これでライン光源１０の光量の変動を吸収して、紙葉類の蛍光画像の照度を常時一定とすることができる。
また、本発明の実施の形態では、白基準板１７を、受光部１２の読取り領域内であって、かつ、画像領域Ｗから外れた部位に設置することにより、受光部１２の端部にある受光素子で白基準板１７から励起された蛍光量Ｓ１を読取る動作と、受光部１２の中央部で紙葉類の蛍光画像を読取る動作とを時間的に並行して行うことができる。したがって、紙葉類の画像を、より少ない遅延時間で（具体的に言えばほとんどリアルタイムで）補正することができる。すなわち補正ループの遅延時間が短くなる。
【００２８】
＜ライン光源＞
図５は、図１に示されるイメージセンサユニットにおけるライン光源１０の外観を概略的に示す斜視図である。図６はライン光源１０の各構成部材の分解斜視図、図７はライン光源１０の側面図である。なお図７ではカバー部材２の図示は省略している。
ライン光源１０は、長手方向Ｌに沿って延びる透明な導光体１と、長手方向Ｌの一方の端面付近に設けられた第２の光源部３と、長手方向Ｌの他方の端面付近に設けられた第１の光源部４と、導光体１の各側面（底側面１ａ及び左右側面１ｂ，１ｃ）を保持するためのカバー部材２と、底側面１ａと左右側面１ｂとの間に斜めに形成された光拡散パターン形成面１gに形成され、第２の光源部３及び第１の光源部４から導光体１の端面１ｅ，１ｆに入射され導光体１の中を進む光を拡散・屈折させて、導光体１の光出射側面１ｄから出射させるための光拡散パターンＰとを有している。また好ましくは、導光体１の端面１ｅ，１ｆにそれぞれ形成された第２のフィルタ６、第１のフィルタ７を有している。
【００２９】
導光体１は、アクリル樹脂などの光透過性の高い樹脂、あるいは光学ガラスで形成してもよいが、本発明の実施の形態では、紫外光を発光する第１の光源部４を用いるので、導光体１の材料として、紫外光に対する減衰が比較的少ないフッ素系樹脂あるいはシクロオレフィン系樹脂が好ましい。
導光体１は、細長い柱状であり、その長手方向Ｌに直交する断面は、長手方向Ｌのどの切り口においても、実質的に同じ形状、同じ寸法をしている。また導光体１のプロポーション、すなわち導光体１の長手方向Ｌの長さと、その長手方向Ｌに直交する断面の高さＨとの比率は１０よりも大きく、好ましくは３０よりも大きい。例えば導光体１の長さが２００ｍｍであれば、その長手方向Ｌに直交する断面の高さＨは５ｍｍ程度である。
【００３０】
導光体１の側面は、光拡散パターン形成面１g（図６において導光体１の斜めカット面に相当）、底側面１ａ、左右側面１ｂ，１ｃ、光出射側面１ｄ（図６において導光体１の上面に相当）の５つの側面からなる。底側面１ａ、左右側面１ｂ，１ｃは平面形状であり、光出射側面１ｄはレンズの集光効果を持たせるために外向きに滑らかな凸の曲線状に形成されている。しかし光出射側面１ｄは必ずしも凸状に形成されていなくてもよく、平面形状であってもよい。この場合、平面１ｄに対向するように、導光体１から出射した光を集光するレンズを配置するとよい。
【００３１】
光拡散パターン形成面１g上の光拡散パターンＰは、一定の幅を維持して、導光体１の長手方向Ｌに沿って一直線状に延びている。この光拡散パターンＰの長手方向Ｌに沿った寸法は、イメージセンサの読取長（つまり受光部１２の読取領域の幅）よりも長くなるように形成されている。
この光拡散パターンＰは、導光体１の光拡散パターン形成面１gに彫刻された複数のＶ字状の溝により構成されている。この複数のＶ字状の溝の各々は、導光体１の長手方向Ｌに直交する方向に延びるよう形成されており、互いに同じ長さを有している。複数のＶ字状の溝は、断面が例えば二等辺三角形状を有していてもよい。
【００３２】
この光拡散パターンＰにより、導光体１の端面１ｅ，１ｆから入射され、導光体１の内部を長手方向Ｌに伝搬する光を屈折・拡散させ、長手方向Ｌに沿ってほぼ一様の明るさで光出射側面１ｄから照射することができる。これにより、導光体１の長手方向Ｌの全体において紙葉類に照射される光をほぼ一定とすることができ、照度むらを無くすことができる。
【００３３】
なお、光拡散パターンＰの溝のＶ字形状は一例であり、照度むらが顕著にならない限り、Ｖ字形に代えてＵ字形にするなど任意に変更することができる。光拡散パターンＰの幅も一定の幅を維持する必要はなく、導光体１の長手方向Ｌに沿って幅が変化するものであってもよい。溝の深さや溝の開口幅についても、適宜変更することができる。
カバー部材２は、導光体１の長手方向Ｌに沿った細長い形状であり、導光体１の底側面１ａ及び左右側面１ｂ，１ｃを覆うことができるように、導光体１の光拡散パターン形成面１gに対向する底面２ａ、導光体１の右側面１ｂに対向する右側面２ｂ、及び導光体１の左側面に対向する左側面２ｃを有している。これらの３つの側面はそれぞれ平面をなしており、これらの３つの内面で断面がほぼ「コ」の字状の凹部を形成するので、導光体１をこの凹部の中に挿入することができる。この覆った状態で、カバー部材２の底面２ａが導光体１の底側面１ａに密着し、カバー部材２の右側面２ｂが導光体１の右側面１ｂに密着し、左側面２ｃが導光体１の左側面１ｃに密着する。このため、カバー部材２で導光体１を保護することができる。
【００３４】
なお、カバー部材２は透明なカバーに限定されず、半透明、又は不透明なものであってもよい。例えばカバー部材２は、導光体１の光出射面以外の側面より漏れ出す光を再び導光体１内に反射させるために、反射率の高い白色樹脂の成形品、又はその白色樹脂を塗布した樹脂の成形品であってもよい。または、カバー部材２をステンレスやアルミニウムなどの金属体で形成してもよい。
【００３５】
第２の光源部３は可視光、又は可視から赤外にわたる波長の光を発光する光源であり、例えば近赤外、赤、緑、青の各波長の光を発する複数のＬＥＤ（Light Emitting Diode）が用いられる。また、赤、緑、青を混在した白色光を発する場合、赤、緑、青の3色を同時点灯してもよいし、ＬＥＤ光源の封止剤に蛍光剤を混入し、蛍光による白色光を出してもよい。
第１の光源部４は、導光体１に対して紫外光を発光する光源であり、３００ｎｍ〜４００ｎｍの紫外光ＬＥＤ光源等が使用可能である。好ましくは３３０ｎｍ〜３８０ｎｍの範囲にピーク発光波長を有する紫外発光ダイオードが用いられる。
【００３６】
第２の光源部３と第１の光源部４には、基板５に実装されるための端子３１が形成されていて、この端子３１を基板５に差込み、半田付けなどで接合することにより、それぞれ駆動電源（図示せず）に電気的に接続される。駆動電源は、第２の光源部３に電圧を印加する電極端子と第１の光源部４に電圧を印加する電極端子とを選択することにより、第２の光源部３及び第１の光源部４を同時に、若しくは時間的に切り替えて発光させることができる回路構成となっている。また第２の光源部３に内蔵された複数のＬＥＤのうち任意のＬＥＤを選択して同時に、若しくは時間的に切り替えて発光させることもできる。
【００３７】
以上の構成により、コンパクトな構成で、第２の光源部３が設置される端面１ｅから可視光又は可視光から赤外光までを含む波長範囲の光を導光体１に入射することができ、第１の光源部４が設置される端面１ｆから紫外光を導光体１に入射することができる。これにより、第１の光源部４から発光される光、又は第２の光源部３から発光される光を、導光体１の光出射側面１ｄから出射することができる。
【００３８】
好ましくは、導光体１の第２の光源部３が設置される端面１ｅには、４２０ｎｍ以上の赤外光及び可視光を透過させ、４００ｎｍ未満の紫外光を反射又は吸収することにより遮断する第２のフィルタ６が設けられている。また、導光体１の第１の光源部４が設置される端面１ｆには、４００ｎｍ未満の紫外光を透過させ、４２０ｎｍ以上の赤外光及び可視光を反射又は吸収することにより遮断する第１のフィルタ７が設けられている。
【００３９】
第２のフィルタ６、第１のフィルタ７は、特に限定するものではなく目的とする波長域を遮断するものであれば材質・構造を問わない。例えば反射させるフィルタであれば、ガラス表面に透過率や屈折率の異なる金属酸化物もしくは誘電体の薄膜を多層蒸着することで得られる干渉波フィルタ（バンドパスフィルタ）が好ましい。
反射させる干渉波フィルタとしては、例えば、酸化珪素と五酸化タンタルなどを採用し、それぞれの透過率や屈折率及び膜厚を調整して多層蒸着することにより所望のバンドパスフィルタ特性を確保することで得られる。なお、当然ながら通常の光学関連産業用に従来から生産されているバンドパスフィルタで、要求性能を満足するものであれば採用に際して特に制限はない。
【００４０】
第２のフィルタ６、第１のフィルタ７に干渉波フィルタを用いる場合、前記干渉波フィルタのみでは目的とする透過域を調整出来ない場合は、さらにその上に金属又はその酸化物、窒化物、フッ化物の薄膜を用いたフィルムを重ねることで所望の波長特性を確保することが可能である。
第２のフィルタ６が紫外光を吸収するフィルタであれば、有機系の紫外光吸収剤を透明フィルムに混入あるいはコーティングした紫外光吸収フィルムであってもよい。また、干渉波フィルタで、例えば、酸化珪素と酸化チタンなどを採用し、それぞれの透過率や屈折率及び膜厚を調整して多層蒸着することにより紫外光を反射、吸収両機能により遮断することで所望波長特性を確保してもよい。
【００４１】
また第１のフィルタ７が可視光、赤外光を吸収するフィルタであれば、紫外光を通過させ可視光、赤外光をカットする物質をフィルムの中に添加してもよい。
なお、第２のフィルタ６、第１のフィルタ７の導光体１への設置方法は任意であり、導光体１の端面１ｅ，１ｆに塗布又は蒸着により被覆してもよい。またフィルム状もしくは板状の第２のフィルタ６、第１のフィルタ７を用意し、導光体１の端面１ｅ，１ｆに密着させて、もしくは端面１ｅ，１ｆから一定の距離をおいて取り付けてもよい。
【００４２】
以上で、本発明の実施の形態を説明したが、本発明の実施は、以上の形態に限定されるものではなく、本発明の範囲内で種々の変更を施すことが可能である。
【符号の説明】
【００４３】
１０  ライン光源
１１  レンズアレイ
１２  受光部
１４，１４Ａ  
１５  フィルタ
１６  筺体
１７，１７Ａ  白基準板
２１  照度補正システム
２２  基準データ記憶部
２３  補正データ生成部
２４  照度補正部
Ｗ  画像領域
【図１】
2016005093.tif 000003
【図２】
2016005093.tif 000004
【図３Ａ】
2016005093.tif 000005
【図３Ｂ】
2016005093.tif 000006
【図４】
2016005093.tif 000007
【図５】
2016005093.tif 000008
【図６】
2016005093.tif 000009
【図７】
2016005093.tif 000010